(57)【特許請求の範囲】
【請求項１】
構造物の躯体と、
前記躯体に接続された上端部を中心として、屋内外方向に回動自在に設けられた壁体と、
前記壁体を前記躯体に固定する固定具とを具備し、
前記躯体は、
前記壁体を屋内側から視たときに前記壁体の左に位置する左側支持体と、前記壁体の右に位置する右側支持体とを有し、
前記左側支持体は、前記壁体に向けて右方に突出した左側突出部を有し、
前記右側支持体は、前記壁体に向けて左方に突出した右側突出部を有し、
前記壁体は、
前記左側突出部に上下方向に重なるように左方に突出した左側固定部と、
前記右側突出部に上下方向に重なるように右方に突出した右側固定部とを有し、
前記固定具は、
前記左側突出部と前記左側固定部を上下方向に貫通して固定する左側ボルトと、
前記右側突出部と前記右側固定部を上下方向に貫通して固定する右側ボルトとを含み、
前記左側ボルトが貫通するように前記左側突出部と前記左側固定部のそれぞれに形成した貫通孔のうち少なくとも一方は、突出端から左右方向に切り欠かれた切欠き孔であり、
前記右側ボルトが貫通するように前記右側突出部と前記右側固定部のそれぞれに形成した貫通孔のうち少なくとも一方は、突出端から左右方向に切り欠かれた切欠き孔であることを特徴とする壁構造。
【請求項２】
前記左側突出部の前記貫通孔と前記左側固定部の前記貫通孔のそれぞれが、突出端から切り欠かれた切欠き孔であり、
前記右側突出部の前記貫通孔と前記右側固定部の前記貫通孔のそれぞれが、突出端から切り欠かれた切欠き孔であることを特徴とする請求項１に記載の壁構造。
【請求項３】
前記壁体の外面を構成するパネルは、２枚の金属板の間に芯材を充填したサンドイッチパネルであることを特徴とする請求項１または２に記載の壁構造。
【発明の詳細な説明】
【技術分野】
【０００１】
本発明は、壁構造に関し、詳しくは、津波対策を施した構造物の壁構造に関する。
【背景技術】
【０００２】
特許文献１には、構造物の躯体に、上端部を中心にして屋内外方向に回動自在となるように壁体を取り付け、壁体の左右に位置する躯体に対して、壁体の左右の端部をボルトとナットで固定した壁構造が記載されている。
【０００３】
この壁構造では、構造物が津波を受けたときに、津波からの力を受けて左右のボルトがそれぞれ破壊されることによって壁体が回動自在となり、これにより、津波を受け流すことができる。
【先行技術文献】
【特許文献】
【０００４】
【特許文献１】特開２０１４−１７３２３９号公報
【発明の概要】
【発明が解決しようとする課題】
【０００５】
ところで、上述した壁構造では、津波からの力を受けて左右のボルトのうち一方だけが破壊された場合に、壁体がスムーズに回動することができず、津波を受け流す機能が十分に発揮されないおそれがある。
【０００６】
本発明が解決しようとする課題は、津波を受け流す機能をより確実に発揮することができる壁構造を提案することを課題とする。
【課題を解決するための手段】
【０００７】
上記課題を解決するために本発明の壁構造は、構造物の躯体と、前記躯体に接続された上端部を中心として、屋内外方向に回動自在に設けられた壁体と、前記壁体を前記躯体に固定する固定具とを具備し、前記躯体は、前記壁体を屋内側から視たときに前記壁体の左に位置する左側支持体と、前記壁体の右に位置する右側支持体とを有し、前記左側支持体は、前記壁体に向けて突出した左側突出部を有し、前記右側支持体は、前記壁体に向けて突出した右側突出部を有し、前記壁体は、前記左側突出部に上下方向に重なるように突出した左側固定部と、前記右側突出部に上下方向に重なるように突出した右側固定部とを有し、前記固定具は、前記左側突出部と前記左側固定部を上下方向に貫通して固定する左側ボルトと、前記右側突出部と前記右側固定部を上下方向に貫通して固定する右側ボルトとを含み、前記左側ボルトが貫通するように前記左側突出部と前記左側固定部のそれぞれに形成した貫通孔のうち少なくとも一方は、突出端から切り欠かれた切欠き孔であり、前記右側ボルトが貫通するように前記右側突出部と前記右側固定部のそれぞれに形成した貫通孔のうち少なくとも一方は、突出端から切り欠かれた切欠き孔であることを特徴とする。
【発明の効果】
【０００８】
本発明の壁構造では、津波を受け流す機能をより確実に発揮することができる。
【図面の簡単な説明】
【０００９】
【図１】図１Ａは、本発明の一実施形態の壁構造を備える構造物の一例を示す概略的な斜視図であり、図１Ｂは、同上の構造物が津波を受け流す様子を示す側面図である。
【図２】同上の壁構造を屋内側から視た斜視図である。
【図３】図２のａ部分を示す拡大平面図であり、図３Ａ，Ｂは、津波を受け流す壁体の動きを順に示した図である。
【図４】図４Ａ，Ｂは、図３Ｂの後の、津波を受け流す壁体の動きを順に示した図である。
【図５】図５Ａ，Ｂは、図４Ｂの後の、津波を受け流す壁体の動きを順に示した図である。
【図６】同上の壁構造を示す側断面図である。
【図７】同上の壁構造を示す側断面図であり、図７Ａは、屋内側からの津波を受け流す壁体の様子を示す図であり、図７Ｂは、屋外側からの津波を受け流す壁体の様子を示す図である。
【発明を実施するための形態】
【００１０】
以下、本発明の実施形態について図を参照しながら説明する。
【００１１】
本発明の一実施形態の壁構造は、津波対策を施した壁構造である。具体的には、本実施形態の壁構造は、図１Ａ及び図１Ｂに示すように、構造物の躯体１と、この躯体１に接続された上端部を中心として、屋内外方向に回動自在に設けられた複数の壁体２と、各壁体２を躯体１に固定する固定具３（図３Ａ参照）とを具備する。本実施形態の壁構造は、例えば、図１Ａに示すように、構造物の１階部分の全周の壁構造に適用される。
【００１２】
図１Ａに示す構造物では、津波を受けたときに、図１Ｂに示すように、構造物の外壁面の大部分を占める複数の壁体２のそれぞれが屋内側または屋外側へ回動することによって、津波を受け流すことができる。これにより、本実施形態の壁構造を備えた構造物では、津波による躯体１の損傷を抑制することができる。また、この構造物では、壁体２が躯体１から外れて漂流物となることも抑制することができる。
【００１３】
本実施形態の壁構造は、構造物の各階の壁構造のうち、津波が衝突するおそれのある階の壁構造に適用される。図１Ａに示す構造物では、２階部分の壁構造には、躯体に壁体を回動不可に固定した一般的な壁構造を適用しているが、この２階部分の壁構造にも、本実施形態の壁構造を適用してもよい。
【００１４】
図２には、図１Ａの構造物の１階部分の壁構造を屋内側から視た様子が示されている。以下では、壁体２を屋内側から視た状態を基準とした左右方向に基づいて、各構成について詳しく説明する。図２においては、矢印Ｘ１で示す方向が右方向であり、矢印Ｙ１で示す方向が屋外側であり、矢印Ｚ１で示す方向が上方向である。
【００１５】
躯体１は、壁体２の左に位置する左側支持体１０と、壁体２の右に位置する右側支持体１１と、壁体２よりも上方に位置する梁１２と、壁体２の下方に位置する基礎１３とを有する。梁１２は、支持体１０，１１に架け渡たされている。梁１２は、本実施形態ではＨ形鋼である（図６参照）。図２に示すように、支持体１０，１１，梁１２，基礎１３のそれぞれは、壁体２に対して屋内外方向に重ならない箇所に位置している。支持体１０，１１は、同大同形である。以下では、左側支持体１０について詳しく説明する。
【００１６】
左側支持体１０は、図３Ａに示すように、平断面Ｈ字状の柱１４と、柱１４から屋外側に突出した左右一対の板状の取付部１４０と、左右一対の取付部１４０のそれぞれに固定された左右一対の縦胴縁１５と、左右一対の縦胴縁１５の屋外側の面に回動不可に固定された外壁パネル１６とを含む。
【００１７】
本実施形態では、柱１４はＨ形鋼であり、左右一対の縦胴縁１５はリップ溝形鋼である。外壁パネル１６は、２枚の金属板の間に芯材を挟んだサンドイッチパネルである。左右一対の取付部１４０のそれぞれは、柱１４の屋外側の面に溶接等によって固定されている。
【００１８】
左側支持体１０は、壁体２に向けて突出した左側突出部１７を有する。右側支持体１１は、壁体２に向けて突出した右側突出部１８を有する。
【００１９】
左側突出部１７は、左側支持体１０の柱１４から右方向に向けて突出した平面視略Ｌ字状の板材である。左側突出部１７は、本実施形態では、左側支持体１０の柱１４のウェッブ部１４１の右側面と屋外側のフランジ部１４２に溶接によって固定されており、右の縦胴縁１５の右方に、突出端となる右端が位置する。
【００２０】
右側突出部１８は、右側支持体１１の柱１４から左方向に向けて突出した平面視略Ｌ字状の板材である。右側突出部１８は、本実施形態では、右側支持体１１の柱１４のウェッブ部１４１の左側面と屋外側のフランジ部１４２に溶接によって固定されており、左の縦胴縁１５の左方に、突出端となる左端が位置する。
【００２１】
左側突出部１７は、突出端部（つまり右端部）に、上下方向に貫通する貫通孔１７０を有する。右側突出部１８は、突出端部（つまり左端部）に、上下方向にする貫通孔１８０を有する。
【００２２】
左側突出部１７の貫通孔１７０は、左側突出部１７の突出端（右端）から切り欠かれた切欠き孔である。右側突出部１８の貫通孔１８０は、右側突出部１８の突出端（左端）から切り欠かれた切欠き孔である。つまり、左側突出部１７の貫通孔１７０は、上下方向に加えて右方向に開口する孔であり、右側突出部１８の貫通孔１８０は、上下方向に加えて左方向に開口する孔である。本実施形態では、貫通孔１７０，１８０は、屋内外方向に対して直交する方向に開口している。
【００２３】
壁体２は、図２に示すように、背面視矩形枠状のフレーム部材２０と、フレーム部材２０の枠内に位置する複数の縦胴縁２１と、フレーム部材２０と複数の縦胴縁２１のそれぞれの屋外側に取り付けられたパネルユニット２２とを有する。パネルユニット２２は、壁体２の外面を構成するパネルである。フレーム部材２０は、鋼等の金属製である。
【００２４】
フレーム部材２０は、上下方向に離れて位置する上枠部２００と下枠部２０１と、左右方向に離れて位置する左枠部２０２と右枠部２０３とを有する。枠部２００，２０１，２０２，２０３のそれぞれは、角筒状であり、長手方向の端部が閉塞されている。枠部２００，２０１，２０２，２０３のそれぞれは、長手方向の端部同士が、背面視Ｌ型のアングル材２０４（図３Ａ及び図６参照）を介して連結されている。
【００２５】
複数（本実施形態では３本）の縦胴縁２１は、図２に示すように、フレーム部材２０の左枠部２０２と右枠部２０３の間において、左右方向に互いに距離をおいて位置する。複数の縦胴縁２１のそれぞれは、上端部がフレーム部材２０の上枠部２００に固定され、下端部がフレーム部材２０の下枠部２０１に固定されている。複数の縦胴縁２１のそれぞれは、左右方向に開口したリップ溝形鋼である。
【００２６】
パネルユニット２２は、図３Ａ及び図６に示すように、上端部が上枠部２００に取り付けられ、下端部が下枠部２０１に取り付けられ、左端部が左枠部２０２に取り付けられ、右端部が右枠部２０３に取り付けられている。
【００２７】
パネルユニット２２は、図２に示すように、上下方向に連結された複数枚（図では４枚）のサンドイッチパネル２３で構成される。各サンドイッチパネル２３は、図３Ａ及び図６に示すように、２枚の金属板２３０，２３１の間に芯材２３２を挟んだパネル材である。各サンドイッチパネル２３は、下端部に嵌合凸部２３３を有し、上端部に嵌合凹部２３４を有する。嵌合凹部２３４は、嵌合凸部２３３に対して嵌り合う形状である。なお、図６では、複数のうち最上部に位置するサンドイッチパネル２３は、上端部がフラットであるが、この上端部に嵌合凹部２３４を有していてもよい。
【００２８】
上下に並ぶ２枚のサンドイッチパネル２３は、上側のサンドイッチパネル２３の下端部の嵌合凸部２３３と、下側のサンドイッチパネル２３の上端部の嵌合凹部２３４とを嵌め合わせることによって、連結される。各サンドイッチパネル２３は、上端部に屋外側からねじ等の固定具２４を打ち込むことで、その屋内側に位置するフレーム部材２０や縦胴縁２１に対して固定される。上下に並ぶ２枚のサンドイッチパネル２３では、上側に位置するサンドイッチパネル２３の下端部は、下側に位置するサンドイッチパネル２３の上端部に嵌め合いにより連結されることによって、フレーム部材２０や縦胴縁２１に間接的に固定される。このとき、下側に位置するサンドイッチパネル２３の上端部を止め付ける固定具２４は、上側に位置するサンドイッチパネル２３の下端部のカバー片２３５によって覆い隠される。
【００２９】
なお、パネルユニット２２は、複数のサンドイッチパネル２３を上下に連結したものに限らず、１枚のパネル材であってもよい。
【００３０】
壁体２は、図２及び図６に示すように、フレーム部材２０の上枠部２００から上方に突出した板状の取付部２５をさらに有する。取付部２５は、上枠部２００の左右方向の両端部と中央部のそれぞれに１つずつ位置する。なお、取付部２５は、上枠部２００の上記の箇所以外にも位置してもよい。
【００３１】
梁１２は、取付部２５が接続される板状の支持部１２０を有する。支持部１２０は、梁１２のウェブ部１２１の屋外側面と上側のフランジ部１２２と下側のフランジ部１２３のそれぞれに溶接により固定されており、下側のフランジ部１２３よりも一部が下方へ突出している。支持部１２０の数及び設置位置は、取付部２５の数及び設置位置に対応している。各支持部１２０のうち下側のフランジ部１２３よりも下方に突出した部分に、各取付部２５が太径のボルト２６とナットで回転自在に接続される。
【００３２】
壁体２は、図３Ａに示すように、左側支持体１０から突出した左側突出部１７に上下方向に重なるように突出した左側固定部２７と、右側支持体１１から突出した右側突出部１８に上下方向に重なるように突出した右側固定部２８を有する。
【００３３】
本実施形態では、左側固定部２７は、壁体２のフレーム部材２０の下枠部２０１の左端部に溶接などによって固定された板状の部材であり、左側突出部１７の上方に重なるように、下枠部２０１の左端部から左方に突出している。左側固定部２７は、突出端部（つまり左端部）に、上下方向に貫通する貫通孔２７０を有する。本実施形態では、左側固定部２７の貫通孔２７０は、左側固定部２７の突出端（左端）から切り欠いた切欠き孔である。
【００３４】
右側固定部２８は、壁体２のフレーム部材２０の下枠部２０１の右端部に溶接などによって固定された板状の部材であり、右側突出部１８の上方に重なるように、下枠部２０１の右端部から右方に突出している。右側固定部２８は、突出端部（つまり右端部）に、上下方向に貫通する貫通孔２８０を有する。本実施形態では、右側固定部２８の貫通孔２８０は、右側固定部２８の突出端（右端）から切り欠いた切欠き孔である。
【００３５】
つまり、左側固定部２７の貫通孔２７０は、上下方向に加えて左方向に開口する孔であり、右側固定部２８の貫通孔２８０は、上下方向に加えて右方向に開口する孔である。本実施形態では、貫通孔２７０，２８０は、屋内外方向に対して直交する方向に開口している。
【００３６】
貫通孔２７０，２８０は、壁体２が梁１２に回転自在に接続されて、自重により起立姿勢となっている状態において、貫通孔１７０，１８０に対して上下方向に重なる箇所に位置している。
【００３７】
固定具３は、図３Ａに示すように、左側突出部１７の貫通孔１７０と左側固定部２７の貫通孔２７０を上下方向に貫通して、左側突出部１７と左側固定部２７を固定する左側ボルト３０と、左側ボルト３０の締結に用いられるナットとを含む。さらに、固定具３は、右側突出部１８の貫通孔１８０と右側固定部２８の貫通孔２８０を上下方向に貫通して、右側突出部１８と右側固定部２８を固定する右側ボルト３１と、右側ボルト３１の締結に用いられるナットとを含む。ここで、ボルト３０，３１は、壁体２が津波を受けたときにかかる力によって破壊される程度の強度を有するものであり、風から受ける力程度では破壊されないものである。
【００３８】
壁体２は、図６に示すように、フレーム部材２０の下枠部２０１の下端部の屋外側に取り付けられる水切り材４をさらに有する。水切り材４は、パネルユニット２２の下方において、パネルユニット２２よりも屋外側まで突出している。水切り材４は、壁体２とその下方の基礎１３との間の隙間を屋外側に対して覆い隠す。水切り材４は、例えば、金属製であり、サンドイッチパネル２３の金属板２３０，２３１と同じ材料で形成される。
【００３９】
本実施形態の壁構造は、壁体２の上端部と、上の階の壁構造の外面を構成するパネルユニット５の下端部との間の隙間を塞ぐカバー材６をさらに備える。パネルユニット５は、背面視矩形枠状のフレーム部材７の屋外側に取り付けられている。カバー材６は、その上端部が、ねじ等の固定具により、フレーム部材７の下枠部７０に固定されている。カバー材６は、その下端部が、パネルユニット２２をフレーム部材２０に対して止め付ける固定具２４に引っ掛けるなどして、パネルユニット２２の上端部に取り付けられている。
【００４０】
カバー材６は、壁体２の回動に伴って、変形可能なものである。本実施形態では、カバー材６は、鋼板で形成されたものであり、上下方向の一部が蛇腹状の蛇腹部６０となっている。カバー材６は、図７Ａに示すように、壁体２が屋内側からの津波を受け流すときに、蛇腹部６０が収縮するように変形する。そして、カバー材６は、図７Ｂに示すように、壁体２が屋外側からの津波を受け流すときに、蛇腹部６０が伸長するように変形する。このようにカバー材６は、変形可能としたことで、固定箇所から外れにくくなっている。なお、水切り材４は、図７Ｂに示すように、壁体２の回動に伴って変形可能であり、壁体２の回動の妨げになりにくいものとなっている。
【００４１】
以上説明した本実施形態の壁構造は、躯体１の梁１２の各支持部１２０に、壁体２の各取付部２５を回転自在に取り付け、ボルト３０，３１によって壁体２の左右の端部（固定部２７，２８）を左右の支持体１０，１１の突出部１７，１８に固定することによって形成される。本実施形態の壁構造では、パネルユニット２２と、支持体１０，１１の外壁パネル１６との間の隙間は、目地材８で閉塞される（図３Ａ参照）。
【００４２】
以上のようにして形成された本実施形態の壁構造は、一般的な壁構造と同様の外観を呈することができる。ここで、壁体２は、ボルト３０，３１による固定により、津波から受ける力よりも小さな外力では、回動しないように設置されている。
【００４３】
なお、本実施形態の壁構造は、構造物の１階部分に、左右方向に複数並んで位置する。そのため、左右方向に並ぶ２つの壁体２の間に位置する躯体１（つまり支持体）は、左側支持体１０であるとともに右側支持体１１であり、左側突出部１７と右側突出部１８の両方を有する。
【００４４】
続いて、本実施形態の壁構造が津波を受け流すときの壁体２の下端部の動きの一例について説明する。
【００４５】
図３Ａには、津波を受けていないときの壁体２の下端部の様子が示されている。
【００４６】
図３Ｂに示すように、壁体２に対して屋外側から斜めに津波が衝突すると、壁体２の下端部は、例えば、右側ボルト３１だけが破損する。このとき、壁体２の下端部は、左側固定部２７が左側ボルト３０によって左側突出部１７に対して固定されたままの状態で、右側固定部２８が右側突出部１８との固定位置から屋内側へと移動する。
【００４７】
次いで、壁体２の下端部は、右側固定部２８の屋内側への移動に伴って、図４Ａ，Ｂに示すように、左側固定部２７が左側突出部１７との固定位置から屋内側右方へと移動する。このとき、左側固定部２７が、その貫通孔２７０が左側突出部１７の貫通孔１７０に対して上下方向に重ならない位置まで移動することで、左側ボルト３０による左側固定部２７の左側突出部１７への固定が解除される。またこのとき、左側ボルト３０は、左側固定部２７との摩擦により引っ張られて、左側突出部１７の貫通孔１７０の奥側の部分から開口側の部分へと移動し、貫通孔１７０から右方向へと抜け落ちる。
【００４８】
左側ボルト３０による左側固定部２７の左側突出部１７への固定が解除されると、図５Ａ，Ｂに示すように、壁体２の下端部は、傾いた姿勢が、右端部と左端部の屋内側方向の位置が略同じとなる姿勢へと戻っていきながら、屋内側上方へと回動する。
【００４９】
以上のように本実施形態の壁構造では、壁体２の左右の端部を固定するボルト３０，３１が貫通する貫通孔１７０，１８０，２７０，２８０を、上下方向だけでなく左右方向にも開口する切欠き孔としたことで、左側ボルト３０だけが先に破壊された場合に、右側ボルト３１を、破壊されるよりも前に、貫通孔１７０，２７０から抜け出させることができる。
【００５０】
これにより、本実施形態の壁構造では、一方のボルト３１だけが先に破損した場合に、他方のボルト３０による固定を早いタイミングで解除することができ、これにより、壁体２をスムーズに回動させることができて、津波を受け流す機能をより確実に発揮することができる。また、本実施形態の壁構造では、津波からの力が壁体２に局所的に加わることによって、壁体２がＨＰシェル（ｈｙｐｅｒｂｏｌｉｃ  ｐａｒａｂｏｌｏｉｄ  ｓｈｅｌｌ）状に大きく変形（つまり湾曲した形状に塑性変形）したりすることや、壁体２が躯体１から外れたりすることも抑制することができる。
【００５１】
また、本実施形態の壁構造では、貫通孔１７０と貫通孔２７０の両方を切欠き孔としたことで、一方だけを切欠き孔とした場合に比べて、左側ボルト３０を抜け出させやすい。
【００５２】
また、本実施形態の壁構造では、左側の貫通孔１７０，２７０と、右側の貫通孔１８０，２８０の両方を切欠き孔としたことで、左側ボルト３０が先に破壊された場合でも、右側ボルト３１を早いタイミングで抜け出させることができる。
【００５３】
また、本実施形態の壁構造では、壁体２の上端部と、その上に位置するパネルユニット５との間に隙間を設けたことで、壁体２の回動に伴って、壁体２の上端部やその上に位置するパネルユニット５の下端部が破壊されることを抑制できる。これにより、津波が衝突したのが１階部分だけの場合には、２階部分の壁構造の修繕が省略可能となる。
【００５４】
また、本実施形態の壁構造では、壁体２と、その上に位置するパネルユニット５との間の隙間はカバー材６で覆うことで、津波発生時以外の雨水の浸入を抑制できる。また、本実施形態の壁構造では、カバー材６は、壁体２の回動に伴って変形可能であるため、取付箇所から外れにくく、津波発生時に漂流物となりにくくなっている。
【００５５】
なお、上述した実施形態の壁構造は、左側の貫通孔１７０，２７０のうち一方だけが切欠き孔であり、また、右側の貫通孔１８０，２８０のうち一方だけが切欠き孔であってもよい。この場合でも、ボルト３０，３１のうちの一方が破壊された場合に、他方を切欠き孔となっている貫通孔から抜け出させることができ、壁体２をスムーズに回動させることができて、津波を受け流す機能をより確実に発揮させることができる。
【００５６】
また、上述した実施形態の壁構造は、壁体２の外面を構成する構成するパネルが、サンドイッチパネル２３以外の他の建築用パネルであってもよい。
【００５７】
また、上述した実施形態の壁構造は、貫通孔１７０，１８０，２７０，２８０のそれぞれが、屋内外方向に直交する方向に対して開口するのではなく、この方向に対して僅かに傾いた方向に開口するものであってもよい。
【００５８】
また、上述した実施形態の壁構造は、図１Ａに示す構造物の２階部分の壁構造と同じように、壁体２に窓が設けられたものであってよい。
【００５９】
以上まとめると、本発明の一実施形態の壁構造は、下記の構成を備えることを特徴とする。
【００６０】
すなわち、一実施形態の壁構造は、構造物の躯体１と、躯体１に接続された上端部を中心として、屋内外方向に回動自在に設けられた壁体２と、壁体２を躯体１に固定する固定具３とを具備する。躯体１は、壁体２を屋内側から視たときに壁体２の左に位置する左側支持体１０と、壁体２の右に位置する右側支持体１１とを有する。左側支持体１０は、壁体２に向けて突出した左側突出部１７を有する。右側支持体１１は、壁体２に向けて突出した右側突出部１８を有する。壁体２は、左側突出部１７に上下方向に重なるように突出した左側固定部２７と、右側突出部１８に上下方向に重なるように突出した右側固定部２８とを有する。固定具３は、左側突出部１７と左側固定部２７を上下方向に貫通して固定する左側ボルト３０と、右側突出部１８と右側固定部２８を上下方向に貫通して固定する右側ボルト３１とを含む。左側ボルト３０が貫通するように左側突出部１７と左側固定部２７のそれぞれに形成した貫通孔１７０，２７０のうち少なくとも一方は、突出端から切り欠かれた切欠き孔である。右側ボルト３１が貫通するように右側突出部１８と右側固定部２８のそれぞれに形成した貫通孔１８０，２８０のうち少なくとも一方は、突出端から切り欠かれた切欠き孔である。
【００６１】
以上のような構成としたことで、一実施形態の壁構造では、壁体２が津波を受けてボルト３０，３１のうち一方だけが破壊された場合に、他方を、破壊されるよりも前に、切欠き孔となっている貫通孔から抜け出させやすくすることができる。これにより、一実施形態の壁構造では、左右のボルト３０，３１のうち一方のボルトが破壊された場合に早いタイミングで他方のボルトによる壁体２の躯体１（支持体１０，１１）への固定を解除することができ、壁体２をスムーズに回動させることができて、津波を受け流す機能をより確実に発揮することができる。
【００６２】
さらに、一実施形態の壁構造は、上記の構成に加えて、下記の構成を付加的に備える。
【００６３】
すなわち、一実施形態の壁構造では、左側突出部１７の貫通孔１７０と左側固定部２７の貫通孔２７０のそれぞれが、突出端から切り欠かれた切欠き孔であり、右側突出部１８の貫通孔１８０と右側固定部２８の貫通孔２８０のそれぞれが、突出端から切り欠かれた切欠き孔である。
【００６４】
上記の付加的な構成を備えることで、一実施形態の壁構造では、左右のボルト３０，３１のうち一方のボルトが破壊された場合に、他方が、貫通孔１７０，１８０，２７０，２８０からさらに抜け出しやすく、津波を受け流す機能をより確実に発揮することができる。
【００６５】
さらに、一実施形態の壁構造は、上記の構成に加えて、下記の構成を付加的に備える。
【００６６】
すなわち、一実施形態の壁構造では、壁体２の外面を構成するパネルは、２枚の金属板２３０，２３１の間に芯材２３２を充填したサンドイッチパネル２３である。
【００６７】
上記の付加的な構成を備えることで、一実施形態の壁構造では、外面を構成するパネルをＡＬＣパネル等で形成する場合に比べて、壁体２の強度を確保したうえで軽量化を図りやすくて、壁体２を回動自在に支持する躯体１への負担を軽減することができる。
【００６８】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００６９】
１      躯体
１０    左側支持体
１１    右側支持体
１７    左側突出部
１７０  貫通孔
１８    右側突出部
１８０  貫通孔
２      壁体
２３    サンドイッチパネル
２３０  金属板
２３１  金属板
２３２  芯材
２７    左側固定部
２７０  貫通孔
２８    右側固定部
２８０  貫通孔
３      固定具
３０    左側ボルト
３１    右側ボルト
【図１】
0006649706.tif 000002
【図２】
0006649706.tif 000003
【図３】
0006649706.tif 000004
【図４】
0006649706.tif 000005
【図５】
0006649706.tif 000006
【図６】
0006649706.tif 000007
【図７】
0006649706.tif 000008